(57)【特許請求の範囲】
【請求項１】
細棒状のプラグピンの後端部が一体成形されている円筒状の絶縁筒体と、
該絶縁筒体の外周に配置されていると共に、膨出する複数の接触片を有する弾性部体と、
前記絶縁筒体内に引き込まれた同軸ケーブルの露出された内部絶縁体が嵌入されることにより該同軸ケーブルに固着される絶縁管と、該絶縁管の先端部に一体に固着されている導電性のカラーとからなる接続部体と、
前記プラグピンと前記接続部体のカラー間を電気的に接続するコンデンサとを備え、
前記接続部体および前記コンデンサは、前記絶縁筒体内の内部空間に収納されており、前記コンデンサの一端から引き出されたリード線と、前記同軸ケーブルの芯線とが、前記カラーに形成されている挿通孔内に挿通されて固着されることにより、前記プラグピンと前記同軸ケーブルの芯線とがコンデンサを介して電気的に接続されるようになると共に、前記同軸ケーブルの外導体が該同軸ケーブルの外周に沿ってに折り返されている部分を、前記弾性部体の後端部により狭持することにより、前記同軸ケーブルの外導体と前記弾性部体とを電気的に接続するようにしたことを特徴とするアンテナ接続プラグ。
【請求項２】
前記コンデンサをセラミックコンデンサとすると共に、前記絶縁筒体の後端部に、リング状の環状絶縁体を嵌着することにより、前記絶縁筒体に対して前記同軸ケーブルを一体化するようにしたことを特徴とする請求項１記載のアンテナ接続プラグ。
【請求項３】
細棒状のプラグピンの下端部が一体成形されている円筒状の絶縁筒体と、
該絶縁体の外周に配置されていると共に、膨出する複数の接触片を有する弾性部体と、
前記絶縁筒体内に引き込まれた同軸ケーブルの露出された内部絶縁体を把持する第１の把持部が一端に形成され、コンデンサを把持する第２の把持部が他端に形成されている導電性の保持板と、
前記プラグピンと前記保持板間を電気的に接続するコンデンサとを備え、
前記保持板および前記コンデンサは前記絶縁筒体内の内部空間に収納されており、前記コンデンサの一端から引き出されたリード線と、前記同軸ケーブルの芯線とが、前記保持板に固着されることにより、前記プラグピンと前記同軸ケーブルの芯線とがコンデンサを介して電気的に接続されるようになると共に、前記同軸ケーブルの外導体が該同軸ケーブルの外周に折り返されている部分を、前記弾性部体の後端部により狭持することにより、前記同軸ケーブルの外導体と前記弾性部体とを電気的に接続するようにしたことを特徴とするアンテナ接続プラグ。
【請求項４】
前記コンデンサをセラミックコンデンサとすると共に、前記絶縁筒体の後端部に、リング状の環状絶縁体を嵌着することにより、前記絶縁筒体に対して前記同軸ケーブルを一体化するようにしたことを特徴とする請求項３記載のアンテナ接続プラグ。
【発明の詳細な説明】
【０００１】
【発明が属する技術分野】
本発明は、自動車用アンテナ等の給電部に設けられているジャックに嵌着することにより、アンテナの給電部と、電子機器とを接続するようにしたアンテナ接続プラグに関する。
【０００２】
【従来の技術】
従来、アンテナ装置の給電部に設けられているジャックに嵌着することにより、アンテナ装置のアンテナエレメントに給電ケーブルを接続するアンテナ接続プラグが知られている。このような従来のアンテナ接続プラグの構成の一例を図１０（ａ）（ｂ）に示す。ただし、図１０（ｂ）は図１０（ａ）に示すアンテナ接続プラグを半截した断面を示す図である。
これらの図において、プラグピン１１１は、アンテナ接続プラグがジャックに嵌着された際に、ジャックを介してアンテナエレメントに電気的に接続されるようになる。このプラグピン１１１の後端は、絶縁筒体１２２の前部に一体成形により固着されている。そして、絶縁筒体１２２の外周には複数の膨出片を有するリング状の弾性部体１２３が配設されている。この弾性部体１２３は、アンテナ接続プラグがジャックに嵌着された際に、給電部のアース部に接続される部位である。
【０００３】
また、絶縁筒体１２２の後端部には、環状絶縁体１２５が嵌着されており、環状絶縁体１２５が絶縁筒体１２２に嵌着されることにより、絶縁筒体１２２の後端から絶縁筒体１２２内に引き込まれている同軸ケーブル１１６と絶縁筒体１２２とが一体化されるようになる。なお、弾性部体１２３の後端部は同軸ケーブル１１６の外周を把持するようにされており、この際に、同軸ケーブル１１６の外導体１１６−２がまとめられて、同軸ケーブル１１６の外周に沿うよう折り返されているので、弾性部体１２３の後端部により同軸ケーブル１１６と共に把持されるようになる。これにより、同軸ケーブル１１６の外導体１１６−２と弾性部体１２３とが電気的に接続される。
【０００４】
また、同軸ケーブル１１６の先端部において内部絶縁体１１６−３は露出されており、この内部絶縁体１１６−３のほぼ軸心に挿通されている芯線とコンデンサ１１７の一方のリード線とが撚り合わせ部１１８において撚り合わせされて半田付けされることにより、電気的に接続されている。そして、このコンデンサ１１７の他方のリード線１１７−１はプラグピン１１１の内部に挿通されて、その先端に半田付けされている。このように、コンデンサ１１７は絶縁筒体１２２の内部に収納されるようになる。
【０００５】
なお、アンテナ接続プラグにおいて、その内部にコンデンサ１１７を設けるのは、次の理由による。
アンテナ装置がアンテナ接続プラグおよび同軸ケーブルを介してラジオ受信機に接続されているとする。この際に、ラジオ受信機の入力インピーダンスとアンテナのインピーダンスとが整合していないと、良好な受信を行うことができない。また、アンテナ装置の容量値はラジオ受信機の同調周波数に影響を与えるようになる。このため、アンテナ装置におけるアンテナエレメントとラジオ受信機等の電子機器間をコンデンサを介して接続することにより、両者のインピーダンスマッチングを取ると共に、アンテナ装置の容量値を調整するようにしているのである。
【０００６】
【発明が解決しようとする課題】
ところで、図１０に示す従来のアンテナ接続プラグにおいて、その内部に収納されるコンデンサ１１７はチューブラー型とされたスチロールコンデンサが一般に用いられていた。スチロールコンデンサは、その外被が熱可塑性の合成樹脂とされているため、熱に弱くそのリード線と同軸ケーブルの芯線とを撚り合わせて半田付けする際に、半田コテ等の熱によりスチロールコンデンサの外被が溶融される事故が多く発生するという問題点があった。
また、スチロールコンデンサのリード線と同軸ケーブルの芯線とを撚り合わせて半田付けした部分がフリー状態とされているため、この部分が同軸ケーブルの外導体に接触したり、コンデンサの他方のリード線に接触したりする接触事故が発生するおそれがあった。
【０００７】
さらに、スチロールコンデンサのリード線と同軸ケーブルの芯線とを撚り合わせて半田付けした部分がコンデンサの外周に沿うよう折り返されているため、コンデンサのリード線引出部にストレスが加わりリード線の断線の要因となっていた。
さらにまた、スチロールコンデンサのリード線と同軸ケーブルの芯線とを撚り合わせる作業は手作業で行っているため、作業者によるバラツキが大きいという問題点があった。
【０００８】
そこで、本発明は、コンデンサを破損することがないと共に、コンデンサのリード線を折り返したり撚り合わせたりすることなく確実にプラグピンと同軸ケーブルの芯線間を電気的に接続することができるアンテナ接続プラグを提供することを目的としている。
【０００９】
【課題を解決するための手段】
上記目的を達成するために、本発明のアンテナ接続プラグは、細棒状のプラグピンの後端部が一体成形されている円筒状の絶縁筒体と、該絶縁筒体の外周に配置されていると共に、膨出する複数の接触片を有する弾性部体と、前記絶縁筒体内に引き込まれた同軸ケーブルの露出された内部絶縁体が嵌入されることにより該同軸ケーブルに固着される絶縁管と、該絶縁管の先端部に一体に固着されている導電性のカラーとからなる接続部体と、前記プラグピンと前記接続部体のカラー間を電気的に接続するコンデンサとを備え、前記接続部体および前記コンデンサは、前記絶縁筒体内の内部空間に収納されており、前記コンデンサの一端から引き出されたリード線と、前記同軸ケーブルの芯線とが、前記カラーに形成されている挿通孔内に挿通されて固着されることにより、前記プラグピンと前記同軸ケーブルの芯線とがコンデンサを介して電気的に接続されるようになると共に、前記同軸ケーブルの外導体が該同軸ケーブルの外周に沿ってに折り返されている部分を、前記弾性部体の後端部により狭持することにより、前記同軸ケーブルの外導体と前記弾性部体とを電気的に接続するようにしている。
【００１０】
また、本発明の他のアンテナ接続プラグは、細棒状のプラグピンの下端部が一体成形されている円筒状の絶縁筒体と、該絶縁体の外周に配置されていると共に、膨出する複数の接触片を有する弾性部体と、前記絶縁筒体内に引き込まれた同軸ケーブルの露出された内部絶縁体を把持する第１の把持部が一端に形成され、コンデンサを把持する第２の把持部が他端に形成されている導電性の保持板と、前記プラグピンと前記保持板間を電気的に接続するコンデンサとを備え、前記保持板および前記コンデンサは前記絶縁筒体内の内部空間に収納されており、前記コンデンサの一端から引き出されたリード線と、前記同軸ケーブルの芯線とが、前記保持板に固着されることにより、前記プラグピンと前記同軸ケーブルの芯線とがコンデンサを介して電気的に接続されるようになると共に、前記同軸ケーブルの外導体が該同軸ケーブルの外周に折り返されている部分を、前記弾性部体の後端部により狭持することにより、前記同軸ケーブルの外導体と前記弾性部体とを電気的に接続するようにしている。
【００１１】
さらに、上記アンテナ接続プラグにおいて、前記コンデンサをセラミックコンデンサとすると共に、前記絶縁筒体の後端部に、リング状の環状絶縁体を嵌着することにより、前記絶縁筒体に対して前記同軸ケーブルを一体化するようにしてもよい。
【００１２】
このようなアンテナ接続プラグによれば、コンデンサのリード線と同軸ケーブルの芯線とを撚り合わせる必要がないと共に、その接続部分はフリー状態とならないため、接触事故や断線事故の発生を防止することができる。
また、コンデンサをセラミックコンデンサとすることにより、熱に強いコンデンサとすることができるので、熱による破損事故を防止することができる。
【００１３】
【発明の実施の形態】
本発明のアンテナ接続プラグの実施の形態の第１の構成を示す断面図を図１（ａ）に示す。
この図１（ａ）において、アンテナ接続プラグ１におけるプラグピン１１は、アンテナ接続プラグがアンテナ装置の給電部に設けられたジャックに嵌着された際に、該ジャックに嵌入されてアンテナ装置におけるアンテナエレメントに電気的に接続されるようになる部位である。このプラグピン１１の後端は、樹脂製の絶縁筒体１２の一端部に一体成形により固着されている。そして、プラグピン１１が一体とされた一端が閉じた円筒状とされている絶縁筒体１２の外周には、両脇に膨出する２枚の膨出片を有する弾性部体１３が配設されている。この弾性部体１３は金属製とされており、アンテナ接続プラグがアンテナ装置のジャックに嵌着された際に、アンテナ装置の給電部のアース部に接触により接続される部位である。
【００１４】
さらに、弾性部体１３の後端部はリング状とされて、絶縁筒体１２の他端からその内部に引き込まれている同軸ケーブル１６の外被を挟持するように同軸ケーブル１６に固着されている。この際に、同軸ケーブル１６の外導体１６−２が２分されてまとめられて、同軸ケーブル１６の外被に沿うよう折り返されているので、弾性部体１３の後端部により同軸ケーブル１６が把持されたときに、同軸ケーブル１６の外導体１６−２と弾性部体１３とが接触して電気的に接続されるようになる。なお、この際に外導体１６−２と弾性部体１３とを半田付けするようにしても良い。このようにすれば、確実に外導体１６−２と弾性部体１３とを接続することができる。
【００１５】
また、絶縁筒体１２の後端部には、樹脂製の環状絶縁体１５が嵌着されている。この場合、環状絶縁体１５の嵌着位置は、弾性部体１３の後端部の直上とされた絶縁筒体１２の後端部とされるので、弾性部体１３の後端部による同軸ケーブル１６の把持が安定化されるようになる。これにより、絶縁筒体１２の後端から絶縁筒体１２内に引き込まれている同軸ケーブル１６と絶縁筒体１２とが一体化されるようになる。
【００１６】
また、同軸ケーブル１６の先端部において外被が除去されると共に、外導体１６−２がまとめられて折り返されていることから、芯線１６−１を保持している内部絶縁体１６−３は露出されている。そして、この内部絶縁体１６−３の先端部を除去することにより、内部絶縁体１６−３のほぼ軸心に挿通されている芯線１６−１が露出されている。内部絶縁体１６−３には、金属製の導電性カラー１８を備える樹脂製の絶縁管１９が嵌入されて固着されており、芯線１６−１は導電性カラー１８に形成されている挿通孔内に嵌挿されるようになる。この導電性カラー１８の挿通孔内には、チューブラー型のセラミックコンデンサ１７の一方のリード線も嵌挿されている。そして、導電性カラー１８の端面を半田付けすることにより、導電性カラー１８に芯線１６−１とセラミックコンデンサ１７の一方のリード線とが電気的に接続されるようになる。
【００１７】
そして、このセラミックコンデンサ１７の他方のリード線１７−１はプラグピン１１の内部に挿通されて、プラグピン１１の先端に半田付けされている。このように、セラミックコンデンサ１７は絶縁筒体１２の内部空間に収納されるようになる。なお、アンテナ接続プラグ１の同軸ケーブルの他端は、例えばラジオ受信機等の電子機器に引き込まれて接続されるが、アンテナ接続プラグ１におけるセラミックコンデンサ１７を介して、アンテナ装置におけるアンテナエレメントと電子機器間とを接続することにより、両者のインピーダンスマッチングを取ると共に、アンテナ装置の容量値を調整するようにしている。
【００１８】
上記したアンテナ接続プラグ１においては、同軸ケーブル１６の芯線１６−１とセラミックコンデンサ１７の一方のリード線１７−１とは、同軸ケーブル１６の内部絶縁体１６−３に間接的に取り付けられている導電性カラー１８により電気的に接続されるようになる。従って、両者の接続部分は固定されるようになるため、他の部分に接触するおそれをなくすことができる。このため、短絡事故の防止をはかることができる。また、セラミックコンデンサ１７のリード線は折り返されるように折曲されることなく芯線１６−１に接続されるようになるため、リード線にストレスが加わることがなく、リード線の断線事故を防止することができる。さらにまた、セラミックコンデンサ１７は熱に強いため、導電性カラー１８の端面の半田付け作業時に、セラミックコンデンサ１７が破壊されることはない。
【００１９】
次に、本発明のアンテナ接続プラグの実施の形態の第１の構成における第１変形例を示す断面図を図１（ｂ）に示す。なお、図１（ｂ）に示すアンテナ接続プラグ１の変形例においては、図１（ａ）に示すアンテナ接続プラグ１と比較して、弾性部体、絶縁筒体および嵌状絶縁体の構成が異なるだけであるので、この部分についてのみ説明するものとする。
図１（ｂ）に示すアンテナ接続プラグ１において、プラグピン１１の後端は、樹脂製の絶縁筒体２２の一端部に一体成形により固着されている。そして、プラグピン１１が一体とされた一端が閉じた円筒状とされている絶縁筒体２２の外周面を覆うように、前記図１０（ａ）に示すような膨出する複数の膨出片を有するリング状の弾性部体２３が配設されている。この弾性部体２３は金属製とされており、アンテナ接続プラグ１がアンテナ装置のジャックに嵌着された際に、アンテナ装置の給電部のアース部に接触により接続される部位とされる。
【００２０】
さらに、弾性部体２３の後端部はリング状とされて、絶縁筒体２２の他端からその内部に引き込まれている同軸ケーブル１６の外被を挟持するように同軸ケーブル１６に固着されている。この際に、同軸ケーブル１６の外導体１６−２がまとめられて、同軸ケーブル１６の外被に沿うよう折り返されているので、弾性部体２３の後端部により同軸ケーブル１６が把持されたときに、同軸ケーブル１６の外導体１６−２と弾性部体２３とが接触して電気的に接続されるようになる。なお、この際に外導体１６−２と弾性部体２３とを半田付けするようにしても良い。このようにすれば、確実に外導体１６−２と弾性部体２３とを接続することができる。
【００２１】
また、絶縁筒体２２の後端部には、外周の対向する部分に一対の突起片２２−１が形成されている。そして、この一対の突起片２２−１に係合する係合孔２５−１を備える樹脂製の環状絶縁体２５が絶縁筒体２２の後端部に嵌着されている。この場合、環状絶縁体２５の嵌着位置は、弾性部体２３の後端部の直上とされた絶縁筒体２２の後端部とされるので、弾性部体２３の後端部による同軸ケーブル１６の把持が安定化されるようになる。これにより、絶縁筒体２２の後端から絶縁筒体２２内に引き込まれている同軸ケーブル１６と絶縁筒体２２とが一体化されるようになる。
【００２２】
そして、同軸ケーブル１６の芯線１６−１とチューブラー型のセラミックコンデンサ１７の一方のリード線とが、導電性カラー１８に形成されている挿通孔内に嵌挿され、導電性カラー１８の端面が半田付けされることにより、導電性カラー１８に芯線１６−１とセラミックコンデンサ１７の一方のリード線とが電気的に接続されるようになる。この詳細構成については、図１（ａ）において説明したのでその説明は省略する。
【００２３】
上記した本発明の実施の形態の第１の構成のアンテナ接続プラグ１の第１変形例においても同様に、同軸ケーブル１６の芯線１６−１とセラミックコンデンサ１７の一方のリード線１７−１とは、同軸ケーブル１６の内部絶縁体１６−３に間接的に取り付けられている導電性カラー１８により電気的に接続されるようになる。従って、両者の接続部分は固定されるようになるため、他の部分に接触するおそれをなくすことができる。このため、短絡事故の防止をはかることができる。また、セラミックコンデンサ１７のリード線は折り返されるように折曲されることなく芯線１６−１に接続されるため、リード線にストレスが加わることがなく、リード線の断線事故を防止することができる。さらにまた、セラミックコンデンサ１７は熱に強いため、導電性カラー１８の端面の半田付け作業時に、セラミックコンデンサ１７が破壊されることはない。
【００２４】
次に、本発明のアンテナ接続プラグの実施の形態の第１の構成における第２変形例を示す断面図を図２に示す。
この、図２に示すアンテナ接続プラグ１は、図１（ｂ）に示すアンテナ接続プラグ１において、同軸ケーブル１６の引き出しを、プラグピン１１に対して９０°回転して引き出すようにしている。このため、弾性部体３３および絶縁筒体３２がＬ字状とされている。他の構成については上記した第１の変形例と同様であるので、その説明は省略する。
【００２５】
次に、同軸ケーブル１６の内部絶縁体１６−３に取り付けられる、絶縁管１９と導電性カラー１８とからなる接続部体２０の詳細構成を図３（ａ）（ｂ）に示す。図３（ａ）は正面断面図、図３（ｂ）は左側面図である。
図３（ａ）（ｂ）に示されているように、樹脂製の絶縁管１９の前端に金属製の導電性カラー１８が一体成形されている。一体成形の際に、導電性カラー１８の外周に形成されたリング状の凹部内に、絶縁管１９のリング状突起部１９−３が形成されるようになり、これにより導電性カラー１８の絶縁管１９に対する抜け止めが行われる。絶縁管１９の中央部から後端部にかけては、その内部に嵌合孔１９−１が形成されており、この嵌合孔１９−１内に同軸ケーブル１６の内部絶縁体１６−３が嵌入されるようになる。
【００２６】
また、導電性カラー１８には挿通孔１８−１が形成されており、この挿通孔１８−１と嵌合孔１９−１とを連通させる連通孔１９−２が絶縁管１９の内部壁に形成されている。このため、同軸ケーブル１６の芯線１６−１は連通孔１９−２を介して導電性カラー１８に形成されている挿通孔１８−１内に挿通されるようになる。
なお、導電性カラー１８の外部に露出している端面は半田付けされるため、導電性カラー１８を支持している絶縁管１９は、耐熱性あるいは熱硬化性の樹脂製とするのが好ましい。
【００２７】
次に、図１および図２に示した本発明のアンテナ接続プラグの実施の形態の第１の構成、およびその第１変形例、第２変形例における同軸ケーブル１６の加工寸法およびセラミックコンデンサ１７の加工寸法を図４および図５に示す。
図４（ａ）は、図１（ａ）に示すアンテナ接続プラグ１における同軸ケーブル１６およびセラミックコンデンサ１７の加工例を示している。この図に示すように、同軸ケーブルの芯線１６−１の露出長は約１１ｍｍ、内部絶縁体１６−３の長さは約５ｍｍ、外部導体１６−２の折り返し長は約６ｍｍとされる。また、セラミックコンデンサ１７の一方のリード線１７−２にはＲ加工が施されて、その長さは約８ｍｍ、他方のリード線１７−１の長さは最小２１ｍｍとされる。
【００２８】
このように加工された同軸ケーブル１６の芯線１６−１は接続部体２０に挿通されると共に、Ｒ加工を施したセラミックコンデンサ１７の一方のリード線１７−２も接続部体２０に挿通される。この際にリード線１７−２にはＲ加工を施してあるため、リード線１７−２はＲ加工部までしか接続部体２０に挿入されず、その位置決めを行うことができるようになる。なお、セラミックコンデンサ１７の他方のリード線１７−１はプラグピン１１内に挿通される。
【００２９】
また、図４（ｂ）は、図１（ｂ）に示すアンテナ接続プラグ１における同軸ケーブル１６およびセラミックコンデンサ１７の加工例を示している。この加工例では、図４（ａ）に示す加工例に比べて、同軸ケーブル１６の外導体１６−２の折り返し寸法が約１３ｍｍと長くされており、同軸ケーブル１６の他の寸法およびセラミックコンデンサ１７の寸法は同様とされている。
さらに、図５は、図２に示すアンテナ接続プラグ１における同軸ケーブル１６およびセラミックコンデンサ１７の加工例を示している。この加工例では、アンテナ接続プラグ１がＬ字状とされているため、図１（ａ）に示す加工例に比べて、同軸ケーブル１６の外導体１６−２の折り返し寸法が約１９ｍｍとさらに長くされており、同軸ケーブル１６の他の寸法およびセラミックコンデンサ１７の寸法は同様とされている。
【００３０】
次に、本発明のアンテナ接続プラグの実施の形態の第２の構成における断面図を図６（ａ）に、さらにアンテナ接続プラグを９０°回転させた場合の断面図を図６（ｂ）に示す。
この図６（ａ）（ｂ）において、アンテナ接続プラグ１におけるプラグピン１１は、アンテナ接続プラグがアンテナ装置の給電部に設けられたジャックに嵌着された際に、該ジャックに嵌入されてアンテナ装置におけるアンテナエレメントに電気的に接続されるようになる部位である。このプラグピン１１の後端は、樹脂製の絶縁筒体１２の一端部に一体成形により固着されている。そして、プラグピン１１が一体とされた一端が閉じた円筒状とされている絶縁筒体１２の外周には、両脇に膨出する２枚の膨出片を有する弾性部体１３が配設されている。この弾性部体１３は金属製とされており、アンテナ接続プラグがアンテナ装置のジャックに嵌着された際に、アンテナ装置の給電部のアース部に接触により接続される部位とされる。
【００３１】
さらに、弾性部体１３の後端部はリング状とされて、絶縁筒体１２の他端からその内部に引き込まれている同軸ケーブル１６の外被を挟持するように同軸ケーブル１６に固着されている。この際に、同軸ケーブル１６の外導体１６−２が２分されてまとめられて、同軸ケーブル１６の外被に沿うよう折り返されているので、弾性部体１３の後端部により同軸ケーブル１６が把持されたときに、同軸ケーブル１６の外導体１６−２と弾性部体１３とが接触して電気的に接続されるようになる。なお、この際に外導体１６−２と弾性部体１３とを半田付けするようにしても良い。このようにすれば、確実に外導体１６−２と弾性部体１３とを接続することができる。
【００３２】
また、絶縁筒体１２の後端部には、樹脂製の環状絶縁体１５が嵌着されている。この場合、環状絶縁体１５の嵌着位置は、弾性部体１３の後端部の直上とされた絶縁筒体１２の後端部とされるので、弾性部体１３の後端部による同軸ケーブル１６の把持が安定化されるようになる。これにより、絶縁筒体１２の後端から絶縁筒体１２内に引き込まれている同軸ケーブル１６と絶縁筒体１２とが一体化されるようになる。
【００３３】
また、同軸ケーブル１６の先端部において外被が除去されると共に、外導体１６−２がまとめられて折り返されていることから、芯線１６−１を保持している内部絶縁体１６−３は露出されている。そして、この内部絶縁体１６−３の先端部を除去することにより、内部絶縁体１６−３のほぼ軸心に挿通されている芯線１６−１が露出されている。内部絶縁体１６−３は、金属製の保持板４０の一端に形成された第１の把持部４３により把持されており、芯線１６−１は保持板４０の平板部に形成された半田部４１に半田付けされるようになる。この保持板４０の半田部４１には、チューブラー型のセラミックコンデンサ１７の一方のリード線１７−２も半田付けされている。これにより、保持板４０に芯線１６−１とセラミックコンデンサ１７の一方のリード線１７−２とが電気的に接続されるようになる。
【００３４】
そして、このセラミックコンデンサ１７は保持板４０の他端に形成されている第２の把持部４２により把持されて固着されるようになり、その他方のリード線１７−１はプラグピン１１の内部に挿通されて、プラグピン１１の先端に半田付けされる。このように、セラミックコンデンサ１７は絶縁筒体１２の内部空間に収納されるようになる。なお、アンテナ接続プラグ１の同軸ケーブル１６の他端は、例えばラジオ受信機等の電子機器に引き込まれて接続されるが、アンテナ接続プラグ１におけるセラミックコンデンサ１７を介して、アンテナ装置におけるアンテナエレメントと電子機器間とが接続されることにより、両者のインピーダンスマッチングが取られると共に、アンテナ装置の容量値が調整されるようになる。
【００３５】
上記したアンテナ接続プラグ１においては、同軸ケーブル１６の芯線１６−１とセラミックコンデンサ１７の一方のリード線１７−２とは、同軸ケーブル１６の内部絶縁体１６−３を把持していると共にセラミックコンデンサ１７を把持している保持板４０に半田付けされることにより、電気的に接続されている。従って、両者の接続部分は固定されるようになるため、他の部分に接触するおそれをなくすことができる。このため、短絡事故の防止をはかることができる。また、セラミックコンデンサ１７のリード線１７−２は折り返されるように折曲されることなく芯線１６−１に接続されるため、リード線１７−２にストレスが加わることがなく、リード線１７−２の断線事故を防止することができる。さらにまた、セラミックコンデンサ１７は熱に強いため、保持板４０への半田付け作業時に、セラミックコンデンサ１７が破壊されることはない。
【００３６】
次に、本発明のアンテナ接続プラグの実施の形態の第２の構成における第１変形例を示す断面図を図７（ａ）（ｂ）に示す。なお、図７に示すアンテナ接続プラグ１の変形例においては、図６に示すアンテナ接続プラグ１と比較して、弾性部体、絶縁筒体および嵌状絶縁体の構成が異なるだけであるので、この部分についてのみ説明するものとする。
図７に示すアンテナ接続プラグ１において、プラグピン１１の後端は、樹脂製の絶縁筒体２２の一端部に一体成形により固着されている。そして、プラグピン１１が一体とされた一端が閉じた円筒状とされている絶縁筒体２２の外周面を覆うように、前記図１０（ａ）に示すような膨出する複数の膨出片を有する弾性部体２３が配設されている。この弾性部体２３は金属製とされており、アンテナ接続プラグ１がアンテナ装置のジャックに嵌着された際に、アンテナ装置の給電部のアース部に接触により接続される部位である。
【００３７】
さらに、弾性部体２３の後端部はリング状とされて、絶縁筒体２２の他端からその内部に引き込まれている同軸ケーブル１６の外被を挟持するように同軸ケーブル１６に固着されている。この際に、同軸ケーブル１６の外導体１６−２がまとめられて、同軸ケーブル１６の外被に沿うよう折り返されているので、弾性部体２３の後端部が同軸ケーブル１６に固着されたときに、同軸ケーブル１６の外導体１６−２と弾性部体２３とが接触して電気的に接続されるようになる。なお、この際に外導体１６−２と弾性部体２３とを半田付けするようにしても良い。このようにすれば、確実に外導体１６−２と弾性部体２３とを接続することができる。
【００３８】
また、絶縁筒体２２の後端部には、外周の対向する部分に一対の突起片２２−１が形成されている。そして、この一対の突起片２２−１に係合する係合孔２５−１を備える樹脂製の環状絶縁体２５が絶縁筒体２２の後端部に嵌着されている。この場合、環状絶縁体２５の嵌着位置は、弾性部体２３の後端部の直上とされる絶縁筒体２２の後端部とされるので、弾性部体２３の後端部と同軸ケーブル１６との固着が安定化されるようになる。これにより、絶縁筒体２２の後端から絶縁筒体２２内に引き込まれている同軸ケーブル１６と絶縁筒体２２とが一体化されるようになる。
【００３９】
そして、同軸ケーブル１６の芯線１６−３とチューブラー型のセラミックコンデンサ１７の一方のリード線１７−２とが、金属製の保持板４０に形成されている半田付け部４１に半田付けされることにより、保持板４０に芯線１６−１とセラミックコンデンサ１７の一方のリード線１７−２とが電気的に接続されるようになる。この詳細構成については、図６に示すアンテナ接続プラグと同様であるので省略する。
【００４０】
上記した本発明の実施の形態の第１の構成のアンテナ接続プラグ１の第１変形例においても同様に、同軸ケーブル１６の芯線１６−１とセラミックコンデンサ１７の一方のリード線１７−２とは、同軸ケーブル１６の内部絶縁体１６−３を把持する保持板４０により電気的に接続されるようになる。従って、両者の接続部分は固定されるようになるため、他の部分に接触するおそれをなくすことができる。このため、短絡事故の防止をはかることができる。また、セラミックコンデンサ１７のリード線１７−２は折り返されるように折曲されることなく芯線１６−１に接続されるため、リード線１７−２にストレスが加わることがなく、リード線１７−２の断線事故を防止することができる。さらにまた、セラミックコンデンサ１７は熱に強いため、保持板４０への半田付け作業時に、セラミックコンデンサ１７が破壊されることはない。
【００４１】
次に、本発明のアンテナ接続プラグの実施の形態の第２の構成における第２変形例を示す断面図を図８（ａ）（ｂ）に示す。
この、図８（ａ）（ｂ）に示すアンテナ接続プラグ１は、図７に示すアンテナ接続プラグ１において、同軸ケーブル１６の引き出しを、プラグピン１１に対して９０°回転して引き出すようにしたものである。このため、弾性部体３３および絶縁筒体３がＬ字状とされている。他の構成については上記した図７に示す第１の変形例と同様であるので、その説明は省略する。
【００４２】
次に、本発明のアンテナ接続プラグの実施の形態の第２の構成において特徴ある構成の保持板４０の詳細構成を図９に示す。ただし、図９（ａ）は保持板４０の上面図、図９（ｂ）は保持板４０の正面図、図９（ｃ）は拡大して示す保持板４０の右側面図、図９（ｄ）は拡大して示す保持板４０の左側面図である。
これらの図に示すように、金属製の保持板４０は中央部を形成している平板部４４と、平板部４４の一端に形成された同軸ケーブル１６の内部絶縁体１６−３を把持する第１の把持部と、平板部４４の他端部に形成されたセラミックコンデンサ１７を把持する第２の把持部４２とから構成されている。
【００４３】
そして、平板部４４に形成された２つの半田孔４５に、それぞれ同軸ケーブル１６の芯線１６−１とセラミックコンデンサ１７の一方のリード線１７−２を挿通して半田付けすることにより、同軸ケーブル１６の芯線１６−１とセラミックコンデンサ１７の一方のリード線１７−２との電気的な接続が行われている。
また、第１の把持部４３は同軸ケーブル１６の内部絶縁体１６−３を把持しやすくするためにその先端が拡開されており、第２の把持部４２においても同様にセラミックコンデンサ１７を把持しやすくするために先端が拡開されている。
なお、保持板４０に形成した第２の把持部４２を省略するようにしても良い。
【００４４】
また、上記した本発明のアンテナ接続プラグにおいては、コンデンサをセラミックコンデンサとして説明したが、これに限ることはなく、他のチューブラー型コンデンサとしても良い。
なお、上記した本発明のアンテナ接続プラグは、車両に搭載されるアンテナ装置と、車両に搭載されるラジオ受信機間を接続する手段として用いて好適なものである。
【００４５】
【発明の効果】
上記説明したように本発明のアンテナ接続プラグにおいては、その内部に収納されたコンデンサと同軸ケーブルの芯線との接続部分を固定部に設けるようにしている。このため、コンデンサのリード線と同軸ケーブルの芯線とを撚り合わせる必要がないと共に、その接続部分はフリー状態とならないため、接触事故や断線事故の発生を防止することができる。
また、コンデンサをセラミックコンデンサとすることにより、熱に強いコンデンサとすることができるので、熱による破損事故を防止することができる。
【図面の簡単な説明】
【図１】本発明のアンテナ接続プラグの実施の形態の第１の構成を示す断面図、およびその第１変形例を示す断面図である。
【図２】本発明のアンテナ接続プラグの実施の形態の第１の構成における第２変形例を示す断面図である。
【図３】本発明のアンテナ接続プラグの実施の形態の第１の構成における接続部体の詳細構成を示す図である。
【図４】本発明のアンテナ接続プラグの実施の形態の第１の構成における同軸ケーブルと、コンデンサの加工例を示す図である。
【図５】本発明のアンテナ接続プラグの実施の形態の第１の構成における同軸ケーブルと、コンデンサとの他の加工例を示す図である。
【図６】本発明のアンテナ接続プラグの実施の形態の第２の構成を示す断面図である。
【図７】本発明のアンテナ接続プラグの実施の形態の第２の構成における第１の変形例を示す図である。
【図８】本発明のアンテナ接続プラグの実施の形態の第２の構成における第２の変形例
【図９】本発明のアンテナ接続プラグの実施の形態の第２の構成における保持板の詳細構成を示す図である。
【図１０】従来のアンテナ接続プラグの構成例を示す図である。
【符号の説明】
１  アンテナ接続プラグ
１１  プラグピン
１２，２２，３２  絶縁導体
１３，２３，３３  弾性部体
１４  半田付け部
１５，２５，３５  環状絶縁体
１６  同軸ケーブル
１７  コンデンサ
１８  導電性カラー
１９  絶縁管
２０  接続部体
４０  保持板
４１  半田部
４２  第２の把持部
４３  第１の把持部
４４  平板部
４５  半田孔
【図１】
0003712219.tif 000002
【図２】
0003712219.tif 000003
【図３】
0003712219.tif 000004
【図４】
0003712219.tif 000005
【図５】
0003712219.tif 000006
【図６】
0003712219.tif 000007
【図７】
0003712219.tif 000008
【図８】
0003712219.tif 000009
【図９】
0003712219.tif 000010
【図１０】
0003712219.tif 000011